(57)【要約】  移動端末と複数の基地局により構成される通信システムにおいて時間繰上げ量を調整するための方法および装置を提供する。当該方法は：複数の基地局が、移動端末から複数の基地局への間の伝搬遅延と、チャネル応答の電力とをそれぞれ測定するステップ；複数の基地局のうちの非サービング基地局が、測定した伝搬遅延と電力とをサービング基地局へ報告するステップ；サービング基地局が、受け取った伝搬遅延および電力と、サービング基地局自身が測定した伝搬遅延および電力とに基づいて、移動端末の上りリンクの時間繰り上げ量を決定し、当該時間繰上げ量を移動端末に通知するステップ、を含む。当該方法および装置を用いることにより、上り複数基地局受信の有効電力が最適化され、干渉電力は効果的に低減される。
2012521113.tif 000002
【特許請求の範囲】
【請求項１】
移動端末と複数の基地局により構成される通信システムにおいて上りリンクの時間繰上げ量を調整するための方法であって：
前記複数の基地局が、移動端末から前記複数の基地局への間の伝搬遅延Ｔ（ｉ，ｊ）と、チャネル応答の電力Ｐ（ｉ，ｊ）とをそれぞれ測定するステップ、ただし、Ｔ（ｉ，ｊ）は移動端末ｉから基地局ｊへの伝搬遅延を表し、Ｐ（ｉ，ｊ）は移動端末ｉから基地局ｊへのチャネル応答の電力を表し、ｉおよびｊは自然数である；
前記複数の基地局のうちの非サービング基地局が、測定した前記伝搬遅延と前記電力とをサービング基地局へ報告するステップ；
前記サービング基地局が、受け取った前記伝搬遅延および前記電力と、前記サービング基地局自身が測定した伝搬遅延および電力とに基づいて、前記移動端末の上りリンクの時間繰り上げ量を決定し、前記時間繰上げ量を前記移動端末に通知するステップ、を含む方法。
【請求項２】
前記非サービング基地局が、測定した前記伝搬遅延Ｔ（ｉ，ｊ）と当該非サービング基地局が前回測定した伝搬遅延Ｔ’（ｉ，ｊ）とを比較して、得られる第一の差分値が第一の所定の閾値より大きいか否か判定し、および／または測定した現在の電力Ｐ（ｉ，ｊ）と前回測定した電力Ｐ’（ｉ，ｊ）とを比較して、得られる第二の差分値が第二の所定の閾値より大きいか否か判定するステップ；
第一の差分値が第一の所定の閾値より大きいこと、または第二の差分値が第二の所定の閾値より大きいことに応じて、前記非サービング基地局が、測定した前記伝搬遅延Ｔ（ｉ，ｊ）および電力Ｐ（ｉ，ｊ）を前記サービング基地局に報告するステップ、をさらに含む、
請求項１に記載の方法。
【請求項３】
前記サービング基地局が、自らが記憶している、各基地局があらかじめ測定した伝搬遅延Ｔ（ｉ，ｊ）および電力Ｐ（ｉ，ｊ）を前記非サービング基地局に通知し、前記非サービング基地局が、受け取った伝搬遅延および電力と、自らがあらかじめ測定した伝搬遅延Ｔ（ｉ，ｊ）および電力Ｐ（ｉ，ｊ）とに基づいて、システムの第一の時間繰上げ量を決定するステップ；
前記非サービング基地局が、自らが新たに測定した伝搬遅延Ｔｎ（ｉ，ｊ）および電力Ｐｎ（ｉ，ｊ）と、受信した、他の基地局が測定した前記伝搬遅延Ｔ（ｉ，ｊ）および前記電力Ｐ（ｉ，ｊ）とに基づいて、第二の時間繰上げ量を決定し、第一の時間繰上げ量と第二の時間繰上げ量との差分値が第三の所定の閾値より大きいか否か判定する、または第一の時間繰上げ量を用いて得られる総受信電力と第二の時間繰上げ量を用いて得られる総受信電力との差分値が第四の所定の閾値より大きいか否か判定するステップ；
第一の時間繰上げ量と第二の時間繰上げ量との差分値が前記第三の所定の閾値より大きいこと、または第一の時間繰上げ量を用いて得られる総受信電力と第二の時間繰上げ量を用いて得られる総受信電力との差分値が前記第四の所定の閾値より大きいことに応じて、前記非サービング基地局が、前記新たな伝搬遅延Ｔｎ（ｉ，ｊ）および電力Ｐｎ（ｉ，ｊ）をサービング基地局に報告するステップ、をさらに含む、
請求項１に記載の方法。
【請求項４】
前記サービング基地局において、新たなパラメータＴｐ（ｉ，ｊ）＝Ｔ（ｉ，ｊ）／Ｐ（ｉ，ｊ）をあらかじめ定義し、ｍｉｎ｛Ｔｐ（ｉ，ｊ）｝を各非サービング基地局に送信するステップ；
前記各非サービング基地局が、新たな伝搬遅延Ｔｎ（ｉ，ｊ）および電力Ｐｎ（ｉ，ｊ）を測定し、｜Ｔｎ（ｉ，ｊ）／Ｐｎ（ｉ，ｊ）−ｍｉｎ｛Ｔｐ（ｉ，ｊ）｝｜が第五の所定の閾値より大きいか否か判定するステップ；
｜Ｔｎ（ｉ，ｊ）／Ｐｎ（ｉ，ｊ）−ｍｉｎ｛Ｔｐ（ｉ，ｊ）｝｜が前記第五の所定の閾値より大きいことに応じて、前記各非サービング基地局が、測定した前記伝搬遅延Ｔｎ（ｉ，ｊ）および電力Ｐｎ（ｉ，ｊ）を前記サービング基地局に報告するステップ、をさらに含む、
請求項１に記載の方法。
【請求項５】
前記サービング基地局が、前記非サービング基地局から受け取った伝搬遅延および電力と、自身が測定した伝搬遅延および電力とに基づいて、時間繰上げ量を決定し、前記時間繰上げ量と前回決定した時間繰上げ量との差分値が第六の所定の閾値より大きいか否か判定するステップ；
前記時間繰上げ量と前記前回決定した時間繰上げ量との差分値が前記第六の所定の閾値より大きいことに応じて、前記サービング基地局が前記時間繰上げ量を前記移動端末に通知するステップ、をさらに含む、
請求項１または２に記載の方法。
【請求項６】
複数の基地局が、前記移動端末の現在の伝搬遅延Ｔｎ（ｉ，ｊ）および電力Ｐｎ（ｉ，ｊ）をそれぞれ測定するステップ；
前記非サービング基地局が、自らが測定した現在の伝搬遅延Ｔｎ（ｉ，ｊ）と前記伝搬遅延Ｔ（ｉ，ｊ）との第一の差分値と、前記現在の電力Ｐｎ（ｉ，ｊ）と前記電力Ｐ（ｉ，ｊ）との第二の差分値とを算出し、各差分値を前記サービング基地局に通知するステップ；
前記サービング基地局が、受信した第一の差分値と前記非サービング基地局が測定した前記伝搬遅延Ｔ（ｉ，ｊ）とを加算して前記非サービング基地局の現在の伝搬遅延Ｔｎ（ｉ，ｊ）を取得し、受信した第二の差分値と前記非サービング基地局の前記電力Ｐ（ｉ，ｊ）とを加算して前記非サービング基地局の現在の電力Ｐｎ（ｉ，ｊ）を取得し、それぞれの現在の伝搬遅延Ｔｎ（ｉ，ｊ）および現在の電力Ｐｎ（ｉ，ｊ）に基づいて、新たな時間繰上げ量を決定し、前記新たな時間繰上げ量を前記移動端末に通知するステップ、をさらに含む、
請求項１に記載の方法。
【請求項７】
前記第一の差分値は前記基地局の受信ウィンドウの幅に関連し、第一の差分値＝（現在測定した遅延値−前回の報告値）／受信ウィンドウの幅／２Ｎと表され、ただし、Ｎは自然数である、請求項６に記載の方法。
【請求項８】
時間繰上げ量を決定する方法は、ＴＡ（ｉ）＝Ｆ（｛Ｔ（ｉ，ｊ），Ｐ（ｉ，ｊ）｝）であり、ＴＡ（ｉ）は移動端末ｉに対する時間繰上げ量であり、Ｆ（）は時間繰上げ量を決定する関数を表す、請求項１または２に記載の方法。
【請求項９】
前記関数Ｆ（）は、受信ウィンドウ内に位置する信号の電力を最大化する時間繰上げ量を決定する、請求項８に記載の方法。
【請求項１０】
前記関数Ｆ（）は、受信ウィンドウ内に位置する信号のダイバーシチゲインを最大化する時間繰上げ量を決定する、請求項８に記載の方法。
【請求項１１】
サービング基地局から空中インターフェースを介して前記移動端末に伝送する前記時間繰上げ量の量子化間隔は、コンフィグレーション可能である、請求項１または２に記載の方法。
【請求項１２】
移動端末と複数の基地局により構成される通信システムにおいて上りリンクの時間繰上げ量を調整するための方法であって：
前記複数の基地局が、移動端末から前記複数の基地局への間の伝搬遅延Ｔ（ｉ，ｊ）と、チャネル応答の電力Ｐ（ｉ，ｊ）とをそれぞれ測定するステップ、ただし、Ｔ（ｉ，ｊ）は移動端末ｉから基地局ｊへの伝搬遅延を表し、Ｐ（ｉ，ｊ）は移動端末ｉから基地局ｊへのチャネル応答の電力を表し、ｉおよびｊは自然数である；
前記複数の基地局のうちの非サービング基地局が、測定した前記伝搬遅延と前記電力とをサービング基地局へ報告するステップ；
前記サービング基地局が、受け取った前記伝搬遅延および前記電力に基づいて、どの基地局が協調区域を構成するかを決定し、前記協調区域を端末および測定報告を送信した全ての非サービング基地局に通知するステップ；
前記サービング基地局が、協調区域を構成する前記非サービング基地局から受け取った前記伝搬遅延および前記電力と、前記サービング基地局自身が測定した伝搬遅延および電力とに基づいて、前記移動端末の上りリンクの時間繰り上げ量を決定し、前記時間繰上げ量を前記移動端末に通知するステップ、を含む方法。
【請求項１３】
前記非サービング基地局が、測定した前記伝搬遅延Ｔ（ｉ，ｊ）と当該非サービング基地局が前回測定した伝搬遅延Ｔ’（ｉ，ｊ）とを比較して、得られる第一の差分値が第一の所定の閾値より大きいか否か判定し、および／または測定した現在の電力Ｐ（ｉ，ｊ）と前回測定した電力Ｐ’（ｉ，ｊ）とを比較して、得られる第二の差分値が第二の所定の閾値より大きいか否か判定するステップ；
第一の差分値が第一の所定の閾値より大きいこと、または第二の差分値が第二の所定の閾値より大きいことに応じて、前記非サービング基地局が、測定した前記伝搬遅延Ｔ（ｉ，ｊ）および電力Ｐ（ｉ，ｊ）を前記サービング基地局に報告するステップ、をさらに含む、
請求項１２に記載の方法。
【請求項１４】
前記サービング基地局が、自らが記憶している、各基地局があらかじめ測定した伝搬遅延Ｔ（ｉ，ｊ）および電力Ｐ（ｉ，ｊ）を前記非サービング基地局に通知し、前記非サービング基地局が、受け取った伝搬遅延および電力と、自らがあらかじめ測定した伝搬遅延Ｔ（ｉ，ｊ）および電力Ｐ（ｉ，ｊ）とに基づいて、システムの第一の時間繰上げ量を決定するステップ；
前記非サービング基地局が、自らが新たに測定した伝搬遅延Ｔｎ（ｉ，ｊ）および電力Ｐｎ（ｉ，ｊ）と、受信した、他の基地局が測定した前記伝搬遅延Ｔ（ｉ，ｊ）および前記電力Ｐ（ｉ，ｊ）とに基づいて、第二の時間繰上げ量を決定し、第一の時間繰上げ量と第二の時間繰上げ量との差分値が第三の所定の閾値より大きいか否か判定する、または第一の時間繰上げ量を用いて得られる総受信電力と第二の時間繰上げ量を用いて得られる総受信電力との差分値が第四の所定の閾値より大きいか否か判定するステップ；
第一の時間繰上げ量と第二の時間繰上げ量との差分値が前記第三の所定の閾値より大きいこと、または第一の時間繰上げ量を用いて得られる総受信電力と第二の時間繰上げ量を用いて得られる総受信電力との差分値が前記第四の所定の閾値より大きいことに応じて、前記非サービング基地局が、前記新たな伝搬遅延Ｔｎ（ｉ，ｊ）および電力Ｐｎ（ｉ，ｊ）をサービング基地局に報告するステップ、をさらに含む、
請求項１２に記載の方法。
【請求項１５】
前記サービング基地局において、新たなパラメータＴｐ（ｉ，ｊ）＝Ｔ（ｉ，ｊ）／Ｐ（ｉ，ｊ）をあらかじめ定義し、ｍｉｎ｛Ｔｐ（ｉ，ｊ）｝を各非サービング基地局に送信するステップ；
前記各非サービング基地局が、新たな伝搬遅延Ｔｎ（ｉ，ｊ）および電力Ｐｎ（ｉ，ｊ）を測定し、｜Ｔｎ（ｉ，ｊ）／Ｐｎ（ｉ，ｊ）−ｍｉｎ｛Ｔｐ（ｉ，ｊ）｝｜が第五の所定の閾値より大きいか否か判定するステップ；
｜Ｔｎ（ｉ，ｊ）／Ｐｎ（ｉ，ｊ）−ｍｉｎ｛Ｔｐ（ｉ，ｊ）｝｜が前記第五の所定の閾値より大きいことに応じて、前記各非サービング基地局が、測定した前記伝搬遅延Ｔｎ（ｉ，ｊ）および電力Ｐｎ（ｉ，ｊ）を前記サービング基地局に報告するステップ、をさらに含む、
請求項１２に記載の方法。
【請求項１６】
複数の基地局が、前記移動端末の現在の伝搬遅延Ｔｎ（ｉ，ｊ）および電力Ｐｎ（ｉ，ｊ）をそれぞれ測定するステップ；
前記非サービング基地局が、自身が測定した現在の伝搬遅延Ｔｎ（ｉ，ｊ）と前記伝搬遅延Ｔ（ｉ，ｊ）との第一の差分値と、前記現在の電力Ｐｎ（ｉ，ｊ）と前記電力Ｐ（ｉ，ｊ）との第二の差分値とを算出し、各差分値を前記サービング基地局に通知するステップ；
前記サービング基地局が、受信した第一の差分値と前記非サービング基地局が測定した前記伝搬遅延Ｔ（ｉ，ｊ）とを加算して前記非サービング基地局の現在の伝搬遅延Ｔｎ（ｉ，ｊ）を取得し、受信した第二の差分値と前記非サービング基地局の前記電力Ｐ（ｉ，ｊ）とを加算して前記非サービング基地局の現在の電力Ｐｎ（ｉ，ｊ）を取得するステップ、をさらに含む、
請求項１２に記載の方法。
【請求項１７】
移動端末と複数の基地局により構成される通信システムにおいて上りリンクの時間繰上げ量を調整するための方法であって：
前記移動端末により、自らから前記複数の基地局のうちの各非サービング基地局への伝搬遅延を測定し、測定した伝搬遅延をサービング基地局に通知するステップ；
各非サービング基地局が、移動端末のチャネル応答の電力のみを測定し、測定した電力を前記サービング基地局に報告するステップ；
前記サービング基地局が、前記移動端末から受け取った伝搬遅延と、非サービング基地局から受け取った電力の情報と、前記サービング基地局自身が測定した伝搬遅延および電力とに基づいて、前記時間繰上げ量を決定するステップ；
前記サービング基地局が前記時間繰上げ量を前記移動端末に通知するステップ、を含む方法。
【請求項１８】
前記非サービング基地局が、測定した現在の電力と当該自らが前回測定した電力をそれぞれ比較し、比較した第一の差分値が一つの第一の所定の閾値より大きいか否か判定し、前記第一の差分値が前記第一の所定の閾値より大きいことに応じて、前記非サービング基地局が測定した現在の電力を前記サービング基地局に報告するステップ；
前記サービング基地局が、決定した時間繰上げ量と前回決定した時間繰上げ量とを比較し、比較した第二の差分値が一つの第二の所定の閾値より大きいか否か判定し、前記第二の差分値が第二の所定の閾値より大きいことに応じて、前記サービング基地局が前記時間繰上げ量を移動端末に通知するステップ、をさらに含む、
請求項１７に記載の方法。
【請求項１９】
移動通信システムにおいて上りリンクの時間繰上げ量を調整するための装置であって、前記装置はサービング基地局内に配置され：
移動端末からサービング基地局への伝搬遅延とチャネル応答の電力とを測定する測定手段；
非サービング基地局から、前記移動端末から前記非サービング基地局への伝搬遅延とチャネル応答の電力とを受信する送受信手段；
前記測定手段が測定した伝搬遅延およびチャネル応答の電力と、前記非サービング基地局から受信した伝搬遅延およびチャネル応答の電力とに基づいて、時間繰上げ量を決定する時間繰上げ量決定手段を含み、
前記送受信手段は、決定された時間繰上げ量を前記移動端末に送信する、装置。
【請求項２０】
決定された時間繰上げ量と前回決定された時間繰上げ量との差分値が所定の閾値より大きいか否か判定する算出手段をさらに含み、
前記送受信手段は、前記時間繰上げ量と前記前回決定された時間繰上げ量との差分値が所定の閾値より大きいことに応じて、前記時間繰上げ量を前記移動端末に通知する、
請求項１９に記載の装置。
【請求項２１】
前記算出手段は、測定された伝搬遅延と前回測定された伝搬遅延とを比較して、得られる第一の差分値が第一の所定の閾値より大きいか否か判定し、および／または測定されたチャネル応答の電力と前回測定された電力とを比較して、得られる第二の差分値が第二の所定の閾値より大きいか否か判定し、前記送受信手段は、第一の差分値が第一の所定の閾値より大きいこと、または第二の差分値が第二の所定の閾値より大きいことに応じて、前記伝搬遅延およびチャネル応答の電力をサービング基地局に送信する、請求項２０に記載の装置。
【請求項２２】
前記時間繰上げ量決定手段が時間繰上げ量を決定する方法は、ＴＡ（ｉ）＝Ｆ（｛Ｔ（ｉ，ｊ），Ｐ（ｉ，ｊ）｝）であり、ＴＡ（ｉ）は移動端末ｉに対する時間繰上げ量であり、Ｔ（ｉ，ｊ）は移動端末ｉから基地局ｊへの伝搬遅延を表し、Ｐ（ｉ，ｊ）は移動端末ｉから基地局ｊへのチャネル応答の電力を表し、ｉおよびｊは自然数であり、Ｆ（）は時間繰上げ量を決定する関数を表す、請求項１９から２１のいずれかに記載の装置。
【発明の詳細な説明】
【技術分野】
【０００１】
本発明は、通信分野の上り同期および上り複数基地局協調の技術に関する。より具体的には、移動通信システムの上りリンクマルチポイント受信における時間繰上げ量の調整に関する。
【背景技術】
【０００２】
直交周波数分割多重（ＯＦＤＭ）または時間分割多重（ＴＤＭＡ）に基づく無線通信システムの上りリンクには、一つの受信時間ウィンドウが存在する。直交周波数分割多重のシステムについては、この時間ウィンドウはサイクリックプリフィックス（Cyclic Prefix）であり、時間分割多重のシステムについては、この時間ウィンドウはガードインターバル（guard interval）である。端末の送信信号は、時間ウィンドウ内に基地局に到達してはじめて、正確に受信および復調され、そうでない場合には、到達信号は干渉に変わることにより、上りリンクの性能を低下させる。
【０００３】
しかしながら、上りリンクにおいて、端末から基地局へは伝搬遅延が存在し、端末信号が時間ウィンドウ内に基地局に到達できることを保証するためには、上りリンクの伝搬遅延が補償されなければならない。実際の無線通信システムにおいては、基地局により上りリンクの伝搬遅延が測定され、この遅延を時間繰上げ量として端末に通知し、端末が自己の送信タイミングをこの時間繰上げ量繰上げることで、端末信号の上り伝搬遅延が補償され、端末信号は時間ウィンドウの開始点で基地局に到達する。このため、ポイントツーポイントの上りリンクにおいては、時間繰上げ量は上りリンクの伝搬遅延に設定される。
【０００４】
しかしながら、複数の基地局が上りリンクの信号を協調受信する場合には、状況は複雑になる。図１に複数の基地局が上りリンク信号を協調受信するシステムの枠組みを示す。図１に示すように、複数の基地局（ここでは３つを示している）と移動端末（ここでは２つを示している）が存在し、ここで、基地局ｅＮＢ２が移動端末ＵＥ１およびＵＥ２のサービング基地局（serving station）であり、移動端末ＵＥ１が送信した信号がｅＮＢ１、ｅＮＢ２およびｅＮＢ３に到達する時間遅延がそれぞれＴ（１，１）、Ｔ（１，２）、Ｔ（１，３）であり、移動端末ＵＥ２が送信した信号がｅＮＢ１、ｅＮＢ２およびｅＮＢ３に到達する時間遅延がそれぞれＴ（２，１）、Ｔ（２，２）、Ｔ（２，３）であると仮定する。
【０００５】
具体的な通信環境の影響により、端末が送信した信号が複数の受信基地局に到達する伝搬遅延はどれも一致しない可能性があるが、端末は一つの時間繰上げ量に沿って送信タイミングを変更することしかできず、この時間繰上げ量の算出が、上りリンク性能に影響する重要な要素である。このような状況の下で、時間繰上げ量を設定する従来の方法は２種類あり、ここでは方法１および方法２と称する。方法１は、時間繰上げ量を端末からサービング基地局への上り伝搬遅延に設定する。方法２は、時間繰上げ量を複数の伝搬遅延のうち最短のものに設定する。
【０００６】
方法１を用いる場合には、もし端末からサービング基地局への伝搬遅延が最短の遅延でなければ、受信時間ウィンドウの前に基地局に到達する端末信号があり、干渉を起こす。方法２を用いる場合には、受信時間ウィンドウの前に基地局に到達する端末信号はなく、また、方法２は、最大伝搬遅延と最小伝搬遅延との差が受信時間ウィンドウの幅を超えない場合には、全ての上り信号が受信時間ウィンドウ内に基地局に到達することを保証できる。方法１と方法２とは、具体的に時間繰上げ量を設定するアルゴリズムの上では異なるが、両者はシグナリングフローの上では同様である。
【０００７】
図２は従来技術において時間繰上げ量を設定するアルゴリズムを示すシグナリングのフローチャートである。図２に示すように、三つの基地局ｅＮＢ１、ｅＮＢ２およびｅＮＢ３が移動端末ＵＥ１の信号を受信する場合には、当該三つの基地局はそれぞれ移動端末ＵＥ１の伝搬遅延を測定し、その後、協調受信の基地局（非サービング基地局）ｅＮＢ１およびｅＮＢ３は測定した伝搬遅延Ｔ（１，１）およびＴ（１，３）をサービング基地局ｅＮＢ２に報告し、サービング基地局ｅＮＢ２は受け取った伝搬遅延に基づいて時間繰上げ量を決定する。サービング基地局ｅＮＢ２が使用する時間繰上げ量のアルゴリズムは、一つの簡単な関数を用いて概括することができる：
TA(i)=f({T(i,j)})  （１）
【０００８】
式（１）において、ＴＡ（ｉ）は端末ｉに対する時間繰上げ量、ｆ（）は時間繰上げ量を決定する関数、Ｔ（ｉ，ｊ）は端末ｉから各基地局ｊへの伝搬遅延である。式（１）は、従来の方法において、時間繰上げ量の設定は端末から基地局への伝搬遅延の違いにのみ関係することを説明している。
【先行技術文献】
【非特許文献】
【０００９】
【非特許文献１】ＧＰＰ  ＴＲ  ３６．８１４（２００９−０１）
【発明の概要】
【発明が解決しようとする課題】
【００１０】
しかしながら、最大伝搬遅延と最小伝搬遅延との差が受信時間ウィンドウの幅を超える場合には、従来の方法、とくに方法２は好ましくなくなる。図３に最大伝搬遅延と最小伝搬遅延との差が受信時間ウィンドウの幅を超える場合の実際の例を示して説明する。図３において、伝搬遅延差Ｔ（１，３）−Ｔ（１，１）は受信ウィンドウの幅よりも大きいが、遅延Ｔ（１，１）に対応するチャネル応答（channel response）の電力Ｐ１は遅延Ｔ（１，３）に対応するチャネル応答の電力Ｐ３よりも小さい。方法２を用いて時間繰上げ量を設定する場合には、図３に示すように、Ｐ１よりも高い電力の受信信号Ｐ３は、受信時間ウィンドウの外に位置する可能性がある。これでは、端末からの信号が誤って復調されるばかりでなく、干渉ともなりうる。
【課題を解決するための手段】
【００１１】
本発明の一つの態様によれば、移動端末と複数の基地局により構成される通信システムにおいて上りリンクの時間繰上げ量を調整するための方法を提供し：当該複数の基地局が、移動端末から当該複数の基地局への間の伝搬遅延Ｔ（ｉ，ｊ）と、チャネル応答の電力Ｐ（ｉ，ｊ）とをそれぞれ測定するステップ、ただし、Ｔ（ｉ，ｊ）は移動端末ｉから基地局ｊへの伝搬遅延を表し、Ｐ（ｉ，ｊ）は移動端末ｉから基地局ｊへのチャネル応答の電力を表し、ｉおよびｊは自然数である；当該複数の基地局のうちの非サービング基地局が、測定した当該伝搬遅延と当該電力とをサービング基地局へ報告するステップ；当該サービング基地局が、受け取った当該伝搬遅延および当該電力と、当該サービング基地局自身が測定した伝搬遅延および電力とに基づいて、当該移動端末の上りリンクの時間繰り上げ量を決定し、当該時間繰上げ量を当該移動端末に通知するステップ、を含む。
【００１２】
上記の態様によれば、当該方法は：当該非サービング基地局が、測定した当該伝搬遅延Ｔ（ｉ，ｊ）と当該非サービング基地局が前回測定した伝搬遅延Ｔ’（ｉ，ｊ）とを比較して、得られる第一の差分値が第一の所定の閾値より大きいか否か判定し、および／または測定した現在の電力Ｐ（ｉ，ｊ）と前回測定した電力Ｐ’（ｉ，ｊ）とを比較して、得られる第二の差分値が第二の所定の閾値より大きいか否か判定するステップ；第一の差分値が第一の所定の閾値より大きいこと、または第二の差分値が第二の所定の閾値より大きいことに応じて、当該非サービング基地局が、測定した当該伝搬遅延Ｔ（ｉ，ｊ）および電力Ｐ（ｉ，ｊ）を当該サービング基地局に報告するステップ、をさらに含む。
【００１３】
上記の態様によれば、当該方法は：当該サービング基地局が、自らが記憶している、各基地局があらかじめ測定した伝搬遅延Ｔ（ｉ，ｊ）および電力Ｐ（ｉ，ｊ）を当該非サービング基地局に通知し、当該非サービング基地局が、受け取った伝搬遅延および電力と、自らがあらかじめ測定した伝搬遅延Ｔ（ｉ，ｊ）および電力Ｐ（ｉ，ｊ）とに基づいて、システムの第一の時間繰上げ量を決定するステップ；当該非サービング基地局が、自らが新たに測定した伝搬遅延Ｔｎ（ｉ，ｊ）および電力Ｐｎ（ｉ，ｊ）と、受信した、他の基地局が測定した当該伝搬遅延Ｔ（ｉ，ｊ）および当該電力Ｐ（ｉ，ｊ）とに基づいて、第二の時間繰上げ量を決定し、第一の時間繰上げ量と第二の時間繰上げ量との差分値が第三の所定の閾値より大きいか否か判定する、または第一の時間繰上げ量を用いて得られる総受信電力と第二の時間繰上げ量を用いて得られる総受信電力との差分値が第四の所定の閾値より大きいか否か判定するステップ；第一の時間繰上げ量と第二の時間繰上げ量との差分値が当該第三の所定の閾値より大きいこと、または第一の時間繰上げ量を用いて得られる総受信電力と第二の時間繰上げ量を用いて得られる総受信電力との差分値が当該第四の所定の閾値より大きいことに応じて、当該非サービング基地局が、当該新たな伝搬遅延Ｔｎ（ｉ，ｊ）および電力Ｐｎ（ｉ，ｊ）をサービング基地局に報告するステップ、をさらに含む。
【００１４】
上記の態様によれば、当該方法は：当該サービング基地局において、新たなパラメータＴｐ（ｉ，ｊ）＝Ｔ（ｉ，ｊ）／Ｐ（ｉ，ｊ）をあらかじめ定義し、ｍｉｎ｛Ｔｐ（ｉ，ｊ）｝を各非サービング基地局に送信するステップ；当該各非サービング基地局が、新たな伝搬遅延Ｔｎ（ｉ，ｊ）および電力Ｐｎ（ｉ，ｊ）を測定し、｜Ｔｎ（ｉ，ｊ）／Ｐｎ（ｉ，ｊ）−ｍｉｎ｛Ｔｐ（ｉ，ｊ）｝｜が第五の所定の閾値より大きいか否か判定するステップ；｜Ｔｎ（ｉ，ｊ）／Ｐｎ（ｉ，ｊ）−ｍｉｎ｛Ｔｐ（ｉ，ｊ）｝｜が当該第五の所定の閾値より大きいことに応じて、当該各非サービング基地局が、測定した当該伝搬遅延Ｔｎ（ｉ，ｊ）および電力Ｐｎ（ｉ，ｊ）を当該サービング基地局に報告するステップ、をさらに含む。
【００１５】
上記の態様によれば、当該方法は：当該サービング基地局が、当該非サービング基地局から受け取った伝搬遅延および電力と、自身が測定した伝搬遅延および電力とに基づいて、時間繰上げ量を決定し、当該時間繰上げ量と前回決定した時間繰上げ量との差分値が第六の所定の閾値より大きいか否か判定するステップ；当該時間繰上げ量と当該前回決定した時間繰上げ量との差分値が当該第六の所定の閾値より大きいことに応じて、当該サービング基地局が当該時間繰上げ量を当該移動端末に通知するステップ、をさらに含む。
【００１６】
上記の態様によれば、当該方法は：複数の基地局が、当該移動端末の現在の伝搬遅延Ｔｎ（ｉ，ｊ）および電力Ｐｎ（ｉ，ｊ）をそれぞれ測定するステップ；当該非サービング基地局が、自らが測定した現在の伝搬遅延Ｔｎ（ｉ，ｊ）と当該伝搬遅延Ｔ（ｉ，ｊ）との第一の差分値と、当該現在の電力Ｐｎ（ｉ，ｊ）と当該電力Ｐ（ｉ，ｊ）との第二の差分値とを算出し、各差分値を当該サービング基地局に通知するステップ；当該サービング基地局が、受信した第一の差分値と当該非サービング基地局が測定した当該伝搬遅延Ｔ（ｉ，ｊ）とを加算して当該非サービング基地局の現在の伝搬遅延Ｔｎ（ｉ，ｊ）を取得し、受信した第二の差分値と当該非サービング基地局の当該電力Ｐ（ｉ，ｊ）とを加算して当該非サービング基地局の現在の電力Ｐｎ（ｉ，ｊ）を取得し、それぞれの現在の伝搬遅延Ｔｎ（ｉ，ｊ）および現在の電力Ｐｎ（ｉ，ｊ）に基づいて、新たな時間繰上げ量を決定し、当該新たな時間繰上げ量を当該移動端末に通知するステップ、をさらに含む。
【００１７】
上記の態様によれば、当該第一の差分値は当該基地局の受信ウィンドウの幅に関連し、第一の差分値＝（現在測定した遅延値−前回の報告値）／受信ウィンドウの幅／２Ｎと表され、ただし、Ｎは自然数である。
【００１８】
上記の態様によれば、時間繰上げ量を決定する方法は、ＴＡ（ｉ）＝Ｆ（｛Ｔ（ｉ，ｊ），Ｐ（ｉ，ｊ）｝）であり、ＴＡ（ｉ）は移動端末ｉに対する時間繰上げ量であり、Ｆ（）は時間繰上げ量を決定する関数を表す。
【００１９】
上記の態様によれば、当該関数Ｆ（）は、受信ウィンドウ内に位置する信号の電力を最大化する時間繰上げ量を決定する。
【００２０】
上記の態様によれば、当該関数Ｆ（）は、受信ウィンドウ内に位置する信号のダイバーシチゲインを最大化する時間繰上げ量を決定する。
【００２１】
上記の態様によれば、サービング基地局から空中インターフェースを介して当該移動端末に伝送する当該時間繰上げ量の量子化間隔は、コンフィグレーション可能である。
【００２２】
本発明の他の態様によれば、移動端末と複数の基地局により構成される通信システムにおいて上りリンクの時間繰上げ量を調整するための方法を提供し、当該方法は：当該複数の基地局が、移動端末から当該複数の基地局への間の伝搬遅延Ｔ（ｉ，ｊ）と、チャネル応答の電力Ｐ（ｉ，ｊ）とをそれぞれ測定するステップ、ただし、Ｔ（ｉ，ｊ）は移動端末ｉから基地局ｊへの伝搬遅延を表し、Ｐ（ｉ，ｊ）は移動端末ｉから基地局ｊへのチャネル応答の電力を表し、ｉおよびｊは自然数である；当該複数の基地局のうちの非サービング基地局が、測定した当該伝搬遅延と当該電力とをサービング基地局へ報告するステップ；当該サービング基地局が、受け取った当該伝搬遅延および当該電力に基づいて、どの基地局が協調区域を構成するかを決定し、当該協調区域を端末および測定報告を送信した全ての非サービング基地局に通知するステップ；当該サービング基地局が、協調区域を構成する当該非サービング基地局から受け取った当該伝搬遅延および当該電力と、当該サービング基地局自身が測定した伝搬遅延および電力とに基づいて、当該移動端末の上りリンクの時間繰り上げ量を決定し、当該時間繰上げ量を当該移動端末に通知するステップ、を含む。
【００２３】
上記の態様によれば：当該非サービング基地局が、測定した当該伝搬遅延Ｔ（ｉ，ｊ）と当該非サービング基地局が前回測定した伝搬遅延Ｔ’（ｉ，ｊ）とを比較して、得られる第一の差分値が第一の所定の閾値より大きいか否か判定し、および／または測定した現在の電力Ｐ（ｉ，ｊ）と前回測定した電力Ｐ’（ｉ，ｊ）とを比較して、得られる第二の差分値が第二の所定の閾値より大きいか否か判定するステップ；第一の差分値が第一の所定の閾値より大きいこと、または第二の差分値が第二の所定の閾値より大きいことに応じて、当該非サービング基地局が、測定した当該伝搬遅延Ｔ（ｉ，ｊ）および電力Ｐ（ｉ，ｊ）を当該サービング基地局に報告するステップ、をさらに含む。
【００２４】
上記の態様によれば：当該サービング基地局が、自らが記憶している、各基地局があらかじめ測定した伝搬遅延Ｔ（ｉ，ｊ）および電力Ｐ（ｉ，ｊ）を当該非サービング基地局に通知し、当該非サービング基地局が、受け取った伝搬遅延および電力と、自らがあらかじめ測定した伝搬遅延Ｔ（ｉ，ｊ）および電力Ｐ（ｉ，ｊ）とに基づいて、システムの第一の時間繰上げ量を決定するステップ；当該非サービング基地局が、自らが新たに測定した伝搬遅延Ｔｎ（ｉ，ｊ）および電力Ｐｎ（ｉ，ｊ）と、受信した、他の基地局が測定した当該伝搬遅延Ｔ（ｉ，ｊ）および当該電力Ｐ（ｉ，ｊ）とに基づいて、第二の時間繰上げ量を決定し、第一の時間繰上げ量と第二の時間繰上げ量との差分値が第三の所定の閾値より大きいか否か判定する、または第一の時間繰上げ量を用いて得られる総受信電力と第二の時間繰上げ量を用いて得られる総受信電力との差分値が第四の所定の閾値より大きいか否か判定するステップ；第一の時間繰上げ量と第二の時間繰上げ量との差分値が当該第三の所定の閾値より大きいこと、または第一の時間繰上げ量を用いて得られる総受信電力と第二の時間繰上げ量を用いて得られる総受信電力との差分値が当該第四の所定の閾値より大きいことに応じて、当該非サービング基地局が、当該新たな伝搬遅延Ｔｎ（ｉ，ｊ）および電力Ｐｎ（ｉ，ｊ）をサービング基地局に報告するステップ、をさらに含む。
【００２５】
上記の態様によれば：当該サービング基地局において、新たなパラメータＴｐ（ｉ，ｊ）＝Ｔ（ｉ，ｊ）／Ｐ（ｉ，ｊ）をあらかじめ定義し、ｍｉｎ｛Ｔｐ（ｉ，ｊ）｝を各非サービング基地局に送信するステップ；当該各非サービング基地局が、新たな伝搬遅延Ｔｎ（ｉ，ｊ）および電力Ｐｎ（ｉ，ｊ）を測定し、｜Ｔｎ（ｉ，ｊ）／Ｐｎ（ｉ，ｊ）−ｍｉｎ｛Ｔｐ（ｉ，ｊ）｝｜が第五の所定の閾値より大きいか否か判定するステップ；｜Ｔｎ（ｉ，ｊ）／Ｐｎ（ｉ，ｊ）−ｍｉｎ｛Ｔｐ（ｉ，ｊ）｝｜が当該第五の所定の閾値より大きいことに応じて、当該各非サービング基地局が、測定した当該伝搬遅延Ｔｎ（ｉ，ｊ）および電力Ｐｎ（ｉ，ｊ）を当該サービング基地局に報告するステップ、をさらに含む。
【００２６】
上記の態様によれば：複数の基地局が、当該移動端末の現在の伝搬遅延Ｔｎ（ｉ，ｊ）および電力Ｐｎ（ｉ，ｊ）をそれぞれ測定するステップ；当該非サービング基地局が、自身が測定した現在の伝搬遅延Ｔｎ（ｉ，ｊ）と当該伝搬遅延Ｔ（ｉ，ｊ）との第一の差分値と、当該現在の電力Ｐｎ（ｉ，ｊ）と当該電力Ｐ（ｉ，ｊ）との第二の差分値とを算出し、各差分値を当該サービング基地局に通知するステップ；当該サービング基地局が、受信した第一の差分値と当該非サービング基地局が測定した当該伝搬遅延Ｔ（ｉ，ｊ）とを加算して当該非サービング基地局の現在の伝搬遅延Ｔｎ（ｉ，ｊ）を取得し、受信した第二の差分値と当該非サービング基地局の当該電力Ｐ（ｉ，ｊ）とを加算して当該非サービング基地局の現在の電力Ｐｎ（ｉ，ｊ）を取得するステップ、をさらに含む。
【００２７】
本発明の他の態様によれば、移動端末と複数の基地局により構成される通信システムにおいて時間繰上げ量を調整するための方法を提供し：当該移動端末により、自らから当該複数の基地局のうちの各非サービング基地局への伝搬遅延を測定し、測定した伝搬遅延をサービング基地局に通知するステップ；各非サービング基地局が、移動端末のチャネル応答の電力のみを測定し、測定した電力を当該サービング基地局に報告するステップ；当該サービング基地局が、移動端末から受け取った伝搬遅延と、非サービング基地局から受け取った電力の情報と、サービング基地局自身が測定した伝搬遅延および電力とに基づいて、時間繰上げ量を決定するステップ；当該サービング基地局が当該時間繰上げ量を当該移動端末に通知するステップ、を含む。
【００２８】
上記の態様によれば、当該方法は：当該非サービング基地局が、測定した現在の電力と当該自らが前回測定した電力とをそれぞれ比較し、比較した第一の差分値が一つの第一の所定の閾値より大きいか否か判定し、当該第一の差分値が当該第一の所定の閾値より大きいことに応じて、当該非サービング基地局が測定した現在の電力を当該サービング基地局に報告するステップ；当該サービング基地局が、決定した時間繰上げ量と前回決定した時間繰上げ量とを比較し、比較した第二の差分値が一つの第二の所定の閾値より大きいか否か判定し、当該第二の差分値が第二の所定の閾値より大きいことに応じて、当該サービング基地局が当該時間繰上げ量を移動端末に通知するステップ、をさらに含む。
【００２９】
本発明の他の態様によれば、移動通信システムにおいて上りリンクの時間繰上げ量を調整するための装置を提供し、当該装置はサービング基地局内に配置され：移動端末からサービング基地局への伝搬遅延とチャネル応答の電力とを測定する測定手段；非サービング基地局から、当該移動端末から当該非サービング基地局への伝搬遅延とチャネル応答の電力とを受信する送受信手段；当該測定手段が測定した伝搬遅延およびチャネル応答の電力と、当該非サービング基地局から受信した伝搬遅延およびチャネル応答の電力とに基づいて、時間繰上げ量を決定する時間繰上げ量決定手段を含み、当該送受信手段は、決定された時間繰上げ量を当該移動端末に送信する。
【００３０】
上記の態様によれば、当該装置は：決定した時間繰上げ量と前回決定した時間繰上げ量との差分値が所定の閾値より大きいか否か判定する算出手段をさらに含み、当該送受信手段は、当該時間繰上げ量と当該前回決定した時間繰上げ量との差分値が所定の閾値より大きいことに応じて、当該時間繰上げ量を当該移動端末に通知する。
【００３１】
上記の態様によれば、当該算出手段は、測定された伝搬遅延と前回測定された伝搬遅延とを比較して、得られる第一の差分値が第一の所定の閾値より大きいか否か判定し、および／または測定されたチャネル応答の電力と前回測定された電力とを比較して、得られる第二の差分値が第二の所定の閾値より大きいか否か判定し、当該送受信手段は、第一の差分値が第一の所定の閾値より大きいこと、または第二の差分値が第二の所定の閾値より大きいことに応じて、当該伝搬遅延およびチャネル応答の電力をサービング基地局に送信する。
【００３２】
上記の態様によれば、当該時間繰上げ量決定手段が時間繰上げ量を決定する方法は、ＴＡ（ｉ）＝Ｆ（｛Ｔ（ｉ，ｊ），Ｐ（ｉ，ｊ）｝）であり、ＴＡ（ｉ）は移動端末ｉに対する時間繰上げ量であり、Ｔ（ｉ，ｊ）は移動端末ｉから基地局ｊへの伝搬遅延を表し、Ｐ（ｉ，ｊ）は移動端末ｉから基地局ｊへのチャネル応答の電力を表し、ｉおよびｊは自然数であり、Ｆ（）は時間繰上げ量を決定する関数を表す。
【００３３】
上記の態様によれば、当該関数Ｆ（）は、受信ウィンドウ内に位置する信号の電力を最大化する時間繰上げ量を決定する。
【００３４】
上記の態様によれば、当該関数Ｆ（）は、受信ウィンドウ内に位置する信号のダイバーシチゲインを最大化する時間繰上げ量を決定する。
【００３５】
本発明は、上りマルチポイント受信のリンク性能を改善できる、新たな時間繰上げ量の調整方法および装置を提示する。本発明における当該方法および装置を用いることにより、上り複数基地局受信の有効電力を最適化することができ、干渉電力は効果的に低減される。
【図面の簡単な説明】
【００３６】
【図１】複数の基地局が上りリンク信号を協調受信するシステムの枠組みを示す図
【図２】従来技術において時間繰上げ量を設定するアルゴリズムを示すシグナリングのフローチャート
【図３】従来技術において最大伝搬遅延と最小伝搬遅延との差が受信時間ウィンドウの幅を超える場合を示す図
【図４】本発明の実施例１によるシグナリングフロー図
【図５Ａ】本発明の実施例により決定される時間繰上げ量を示す図
【図５Ｂ】本発明の実施例により決定される時間繰上げ量を示す図
【図５Ｃ】本発明の実施例により決定される時間繰上げ量を示す図
【図６】本発明の一実施例により配置される基地局中の関連手段を示す図
【図７】本発明の実施例２によるシグナリングフロー図
【図８】本発明の実施例３によるシグナリングフロー図
【図９】本発明の実施例４によるシグナリングフロー図
【図１０】本発明の実施例５によるシグナリングフロー図
【図１１】本発明の実施例６によるシグナリングフロー図
【図１２】本発明の実施例７によるシグナリングフロー図
【図１３】本発明の実施例８によるシグナリングフロー図
【図１４】本発明の実施例９によるシグナリングフロー図
【図１５】本発明の実施例１１によるシグナリングフロー図
【発明を実施するための形態】
【００３７】
以下、本発明の具体的な実施例について、図面を組み合わせて詳細に記述する。いくつかの関連する従来技術については、詳細な記述を考慮すると本発明の要点が曖昧になるおそれがあるため、ここでは詳細な記述は示さない。各実施例において、同一の機能を実行する素子または手段は、同一の符号を用いて示す。
【００３８】
＜実施例１＞
図４は本発明の実施例１によるシグナリングフローの図示である。
【００３９】
図４に示すように、本発明の実施例１による、移動端末と複数の基地局により構成される通信システムにおいて上りリンクの時間繰上げ量を調整するための方法は：まず、各基地局ｅＮＢ１、ｅＮＢ２およびｅＮＢ３は、移動端末ＵＥ１から各基地局ｅＮＢ１、ｅＮＢ２、ｅＮＢ３への伝搬遅延Ｔ（１，１）、Ｔ（１，２）およびＴ（１，３）と、チャネル応答の電力Ｐ（１，１）、Ｐ（１，２）およびＰ（１，３）とをそれぞれ測定し；その後、非サービング基地局ｅＮＢ１およびｅＮＢ３により、測定した伝搬遅延Ｔ（１，１）およびＴ（１，３）と、電力Ｐ（１，１）およびＰ（１，３）とをサービング基地局ｅＮＢ２に報告し；続いて、サービング基地局ｅＮＢ２は、受け取った遅延および電力の情報と自身が測定した伝搬遅延および電力の情報とに基づいて、当該移動端末の上りリンクの時間繰り上げ量を決定し；その後、サービング基地局ｅＮＢ２は、決定した時間繰上げ量を移動端末ＵＥ１に通知する。
【００４０】
本発明の例示的な実施例によれば、サービング基地局ｅＮＢ２は以下の式（２）に従って時間繰上げ量を算出する：
TA(i)=F({T(i,j),P(i,j)})  （２）
【００４１】
ここで、ＴＡ（ｉ）、Ｔ（ｉ，ｊ）の意味は式（１）と同様である。Ｆ（）は時間繰上げ量を決定する関数である。Ｐ（ｉ，ｊ）は、端末ｉから基地局ｊへのチャネル応答の電力であり、ｉおよびｊは自然数である。式（２）と式（１）の最大の区別は、式（１）においては、時間繰上げ量ＴＡ（ｉ）は異なる（チャネル）伝搬遅延の関数に過ぎないのに対し、式（２）においては、時間繰上げ量ＴＡ（ｉ）は異なる伝搬遅延およびチャネル応答の電力の関数であることにある。図２と図４とを比較すると、図２の従来技術においては、非サービング基地局ｅＮＢ１およびｅＮＢ３は測定したチャネル伝搬遅延のみをサービング基地局ｅＮＢ２に報告すればよいのに対し、本発明の実施例１による図４においては、非サービング基地局ｅＮＢ１およびｅＮＢ３は、伝搬遅延を報告する以外に、対応のチャネル応答の電力も報告する必要があることが容易に見出される。
【００４２】
式（２）中の関数Ｆ（）をどのように決定するかが、基地局内部で実現する課題であるとみなすことができる。本発明の一実施例によれば、関数Ｆ（）を決定する方法は、関数Ｆ（）が受信ウィンドウ内に位置する信号の電力を最大化するような時間繰上げ量ＴＡ（ｉ）を選択することでありうる。このような関数Ｆ（）を用いて時間繰上げ量ＴＡ（ｉ）を決定すると、時間繰上げ量ＴＡ（ｉ）の効果は、図５Ａに示すように改善されうる。
【００４３】
図５Ａ〜図５Ｃは、本発明の実施例により決定される時間繰上げ量の図示である。図５Ａにおいて、時間繰上げ量はＴＡ（ｉ）＝Ｔ２と設定される。Ｔ２は最小伝搬遅延ではないが、図５Ａに示す時間繰上げ量ＴＡ（ｉ）は、最大伝搬遅延と最小伝搬遅延との差が受信時間ウィンドウの幅ＣＰを超える場合に、より高い電力を有する信号Ｐ３が基地局の受信ウィンドウに進入できるため、従来技術において出現していた、高い電力の信号が基地局の受信ウィンドウに収まらず、さらには干渉を起こすという問題を解決している。
【００４４】
本発明のもう一つの実施例によれば、関数Ｆ（）によるＴＡ（ｉ）の決定は、例えば、ダイバーシチ（diversity）ゲインを最大にするというような他の規則によって行われうる。図５Ｂは本発明のもう一つの実施例により決定される時間繰上げ量の図示である。図５Ｂにおいて、異なる遅延信号の電力の関係はＰ１＞Ｐ３＋Ｐ４であるが、Ｐ１とＰ３＋Ｐ４との差分値は大きくはない。受信ウィンドウ内での電力を最大化する方法を用いる場合には、図５Ｂ中に示すＴＡ（ｉ）の値が用いられるはずである。Ｐ１＞Ｐ３＋Ｐ４ではあるが、Ｐ１とＰ３＋Ｐ４との電力の差分値は大きくはなく、かつＰ３とＰ４の電力の割当ても平均的であるため、図５Ｃ中に示すＴＡ（ｉ）の値を用いれば、システムはより大きなダイバーシチゲインを得ることができ、これにより、図５Ｂに示すＴＡ（ｉ）に比べて、システム性能をより改善することができる。
【００４５】
図６は本発明の一実施例により配置される基地局装置の関連手段の図示である。
【００４６】
図６に示すように、本発明の一実施例による基地局装置６００は：各種のシステムソフトおよびアプリケーションソフトを実行して、各種データを処理するとともに基地局６００内の各手段の動作を制御する中央処理ユニット（ＣＰＵ）６０１；ＣＰＵ６０１が各種処理および制御を行うために必要な各種プログラムを記憶するリードオンリーメモリー（ＲＯＭ）６０２；ＣＰＵ６０１が処理および制御の過程で臨時に生成する中間データを記憶するランダムアクセスメモリー（ＲＡＭ）６０３；アンテナ（図示せず）を介して無線ネットワーク（図示せず）と接続し、基地局６００の間、および基地局６００と移動端末ＵＥｓとの間で各種のデータおよびシグナリングを送信および受信する送受信手段６０４；受信および／または送信する各種のデータおよびシグナリングを記憶する記憶手段６０５を含みうる。本発明の当該実施例による基地局装置６００はさらに、測定手段６０６、算出手段６０７、時間繰上げ量決定手段６０８、および／またはユーザインターフェース手段６０９を含む。このうち、ＣＰＵ６０１は、対応の制御プログラムを実行して制御の機能を実行することにより、上記の各手段を制御して各種の機能および動作を完成する。上記の各手段の間はバス線６１０で互いに接続されている。
【００４７】
本発明の一実施例による上記の基地局装置６００の具体的な構成は、本発明の範囲を制限するものではなく、例示的な説明に過ぎず、いくつかの手段が省略されたり、いくつかの手段の機能が一つの手段に合併されて実行されたり、いくつかの手段の機能がより小さい複数の手段に分割されて実行されたりすることが可能である。
【００４８】
また、本発明の実施例による通信システム中には複数の基地局が含まれ、各基地局は上記のような同一の構成を具備しうる。説明の便宜上、基地局ｅＮＢ１中の各手段について、例えば測定手段を６０６−１と表すように、各手段の符号の後ろに“−１”という枝番記号を付して表し；基地局ｅＮＢ２中の各手段について、例えば測定手段を６０６−２と表すように、各手段の符号の後ろに“−２”という枝番記号を付して表し；基地局ｅＮＢ３中の各手段について、例えば測定手段を６０６−３と表すように、各手段の符号の後ろに“−３”という枝番記号を付して表し、他も同様とする。
【００４９】
本発明の一実施例による上記の基地局装置６００の各手段の動作は：各基地局ｅＮＢ１、ｅＮＢ２およびｅＮＢ３の測定手段６０６−１、６０６−２、６０６−３は、移動端末ＵＥ１から当該各基地局への伝搬遅延Ｔ（１，１）、Ｔ（１，２）およびＴ（１，３）と、チャネル応答の電力Ｐ（１，１）、Ｐ（１，２）およびＰ（１，３）とをそれぞれ測定して、測定した各データを各基地局自身の記憶手段６０５−１、６０５−２、６０５−３中に記憶し；非サービング基地局ｅＮＢ１およびｅＮＢ３の送受信手段６０４−１、６０４−３は、測定された伝搬遅延Ｔ（１，１）およびＴ（１，３）と、電力Ｐ（１，１）およびＰ（１，３）とをサービング基地局ｅＮＢ２に送信し；サービング基地局ｅＮＢ２の時間繰上げ量決定手段６０８−２は、受け取った遅延および電力の情報と自身が測定した伝搬遅延および電力の情報とに基づいて、上に示した式（２）に基づいて当該移動端末の上りリンクの時間繰り上げ量を決定し；最後に、サービング基地局ｅＮＢ２の送受信手段６０４−２は、決定された時間繰上げ量を移動端末ＵＥ１に通知する。
【００５０】
＜実施例２＞
実施例１には、非サービング基地局がサービング基地局に遅延および電力の情報を報告する際のシグナリングオーバーヘッドの問題が存在しうる。まず、本発明の実施例による方法は、基地局間で規定外の電力情報を伝達する必要があり、このことはシグナリングオーバーヘッドを増加させており；次に、時間繰上げ量は周期的に更新されるため、シグナリングオーバーヘッドの増加がシステムの負担を大きくしている。以上の問題を改善するために、以下の実施例を提示して基地局間の情報伝達に起因するシグナリングオーバーヘッドを減少させるとともに、本発明の有益な効果を実現する。
【００５１】
図７は本発明の実施例２によるシグナリングフローの図示である。
【００５２】
図７に示すように、本発明の実施例２による上りリンクの時間繰上げ量を調整する方法は：ステップ（１）において、各基地局ｅＮＢ１、ｅＮＢ２およびｅＮＢ３の測定手段６０６−１、６０６−２、６０６−３により移動端末ＵＥ１の伝搬遅延Ｔ（１，１）、Ｔ（１，２）およびＴ（１，３）と、チャネル応答の電力Ｐ（１，１）、Ｐ（１，２）およびＰ（１，３）とをそれぞれ測定し、その後ステップ（２）に進む。
【００５３】
ステップ（２）において、非サービング基地局ｅＮＢ１およびｅＮＢ３の算出手段６０７−１、６０７−３は、測定された現在の伝搬遅延Ｔ（ｉ，ｊ）および電力Ｐ（ｉ，ｊ）と、当該非サービング基地局ｅＮＢ１およびｅＮＢ３が前回測定した伝搬遅延Ｔ，（ｉ，ｊ）および電力Ｐ，（ｉ，ｊ）とを比較して、比較した差分値が所定の閾値より大きいか否か判定する。例えば、非サービング基地局ｅＮＢ１の測定手段６０６−１が測定した現在の伝搬遅延がＴ（１，１）であり、前回測定した伝搬遅延がＴ’（１，１）であれば、非サービング基地局ｅＮＢ１の算出手段６０７−１は｜Ｔ（１，１）−Ｔ’（１，１）｜の値を算出して、｜Ｔ（１，１）−Ｔ’（１，１）｜≧ΔＴ／２（ΔＴは基地局のシステム内部で設定された閾値である）であるか否か判定し；または、例えば、非サービング基地局ｅＮＢ１の測定手段６０６−１が測定した現在のチャネル応答の電力がＰ（１，１）であり、前回測定したチャネル応答の電力がＰ’（１，１）であれば、非サービング基地局ｅＮＢ１の算出手段６０７−１は｜Ｐ（１，１）−Ｐ’（１，１）｜の値を算出して、｜Ｐ（１，１）−Ｐ’（１，１）｜≧ΔＰ／Ｎ（ΔＰは基地局のシステム内部で設定された閾値であり、Ｎは受信基地局の数である）であるか否か判定する。上記二つの条件のうちいずれかを満たす場合、ステップ（３）に進む。また、非サービング基地局ｅＮＢ３は非サービング基地局ｅＮＢ１と同様の動作を実行する。
【００５４】
ステップ（３）において、非サービング基地局ｅＮＢ１およびｅＮＢ３の送受信手段６０４−１、６０４−３は、測定された現在の伝搬遅延Ｔ（１，１）およびＴ（１，３）と、現在の電力Ｐ（１，１）およびＰ（１，３）とをサービング基地局ｅＮＢ２に報告し、その後、処理はステップ（４）に進む。
【００５５】
ステップ（４）において、サービング基地局ｅＮＢ２の時間繰上げ量決定手段６０８−２は、受け取った伝搬遅延および電力の情報と、自身が測定した伝搬遅延およびチャネル応答の電力とに基づいて、当該移動端末の上りリンクの時間繰り上げ量ＴＡ（ｉ）を決定し、その後、処理はステップ（５）に進む。サービング基地局ｅＮＢ２の時間繰上げ量決定手段６０８−２が時間繰り上げ量ＴＡ（ｉ）を決定する方法は実施例１中の方法と同様であり、ここではあらためて述べない。
【００５６】
ステップ（５）において、サービング基地局ｅＮＢ２の送受信手段６０４−２は、決定された時間繰上げ量ＴＡ（ｉ）を移動端末ＵＥ１に送信する。
【００５７】
実施例２と実施例１との区別は、図７中の菱形のブロックの部分、つまりステップ（２）である。この菱形のブロックの実施例２における作用は閾値判定であり、非サービング基地局が新たな伝搬遅延および電力を周期的に測定した後、直ちにサービング基地局に報告するのではなく、まず閾値判定を行って、一定の条件が満たされた後にはじめて、サービング基地局に測定値を報告する。このため、実施例２はイベントトリガに基づいているのに対し、実施例１は時間トリガに基づいて、または周期的に報告している。従って、イベントトリガに基づく実施例２は、非サービング基地局からサービング基地局への不要な報告を効果的に減少させる。実施例２において、報告を触発する時間は、二通りの状況に分けられる。第一の状況は、元の伝搬遅延の測定値と新たなチャネル測定値の差がΔＴ／２より大きい状況であり；第二の状況は、元のチャネル応答の電力の測定値と新たなチャネル応答の電力の測定値の差がΔＰ／Ｎより大きい状況であり、ここでＮはマルチポイント受信の基地局の数であって、ΔＴおよびΔＰは、システムによりあらかじめ配置されたパラメータである。二通りの状況のうちいずれかを満たしさえすれば、イベントがトリガされる。
【００５８】
本発明の実施例２を用いることにより、基地局間のシグナリングオーバーヘッドを効果的に減少させることができる。
【００５９】
＜実施例３＞
図８は本発明の実施例３によるシグナリングフローの図示である。
【００６０】
図８に示すように、本発明の実施例３による上りリンクの時間繰上げ量を調整する方法は：ステップ（１）において、サービング基地局ｅＮＢ２の送受信手段６０４−２は、一つの所定の条件（後述する実施例５におけるステップ（４）のように「閾値を超えるか？」という閾値判定条件が可能）を満たす場合に、全ての伝搬遅延および電力の情報を非サービング基地局ｅＮＢ１およびｅＮＢ３に通知する。ここでは、サービング基地局ｅＮＢ２の送受信手段６０４−２は、記憶している、全ての関連基地局があらかじめ測定した伝搬遅延および電力の情報を、非サービング基地局に通知する。すなわち、非サービング基地局ｅＮＢ１に伝搬遅延Ｔ（１，２）およびＴ（１，３）と、チャネル応答の電力Ｐ（１，２）およびＰ（１，３）とを通知し、非サービング基地局ｅＮＢ３に伝搬遅延Ｔ（１，１）およびＴ（１，２）と、チャネル応答の電力Ｐ（１，１）およびＰ（１，１）とを通知する。その後、処理はステップ（２）に進む。
【００６１】
続いてステップ（２）において、非サービング基地局ｅＮＢ１およびｅＮＢ３の時間繰上げ量決定手段６０８−１、６０８−３は、受け取った伝搬遅延および電力の情報と自局があらかじめ測定していた伝搬遅延および電力の情報とに基づいて、この時のシステムの時間繰上げ量を決定する。この過程において、非サービング基地局ｅＮＢ１およびｅＮＢ３の時間繰上げ量決定手段６０８−１、６０８−３は、サービング基地局ｅＮＢ２と同様の方法で、すなわち実施例１における式（２）を用いて、時間繰上げ量を決定する。その後、処理過程はステップ（３）に進む。
【００６２】
ステップ（３）において、各基地局ｅＮＢ１、ｅＮＢ２およびｅＮＢ３の測定手段６０６−１、６０６−２、６０６−３は、新たな伝搬遅延および電力の情報をそれぞれ測定して、それぞれＴｎおよびＰｎで表す。すなわち、非サービング基地局ｅＮＢ１の測定手段６０６−１は、新たな伝搬遅延Ｔｎ（１，１）および新たなチャネル応答の電力Ｐｎ（１，１）を測定し、非サービング基地局ｅＮＢ３の測定手段６０６−３は、新たな伝搬遅延Ｔｎ（１，３）および新たなチャネル応答の電力Ｐｎ（１，３）を測定し、サービング基地局ｅＮＢ２の測定手段６０６−２は、新たな伝搬遅延Ｔｎ（１，２）および新たなチャネル応答の電力Ｐｎ（１，２）を測定する。その後、処理過程はステップ（４）に進む。
【００６３】
ステップ（４）において、非サービング基地局ｅＮＢ１およびｅＮＢ３の時間繰上げ量決定手段６０８−１、６０８−３は、自局の測定手段６０６−１、６０６−３が測定した新たな伝搬遅延および電力の情報に基づいて、「新たな」時間繰上げ量を決定し、イベント判定を行う。ここで、「新たな」時間繰上げ量は、自局（ｅＮＢ１またはｅＮＢ３）が新たに測定した伝搬遅延および電力の情報と、それ以前にサービング基地局ｅＮＢ２から得た他の基地局の古い測定情報（伝搬遅延および電力）とに基づいて得られる。ここで、非サービング基地局の時間繰上げ量決定手段６０８が時間繰り上げ量を決定する方法は実施例１中で用いた方法と同様である。
【００６４】
より具体的には、非サービング基地局ｅＮＢ１およびｅＮＢ３の算出手段６０７−１、６０７−３は、決定された現在の時間繰上げ量および現在の時間繰上げ量を用いて得られる総受信電力を、当該非サービング基地局ｅＮＢ１およびｅＮＢ３が前回決定した時間繰上げ量および当該時間繰上げ量を用いて得られる総受信電力とそれぞれ比較して、比較した差分値が所定の閾値より大きいか否か判定する。具体的には、非サービング基地局ｅＮＢ１の時間繰上げ量決定手段６０８−１が決定した現在の時間繰上げ量がＴＡｎ（１，１）であり、前回の時間繰上げ量がＴＡ（１，１）であれば、非サービング基地局ｅＮＢ１の算出手段６０７−１は｜ＴＡｎ（１，１）−ＴＡ（１，１）｜の値を算出し、｜ＴＡｎ（１，１）−ＴＡ（１，１）｜＞ΔＴであるか否か判定する；または、非サービング基地局ｅＮＢ１が現在の時間繰上げ量を用いて得られる総受信電力がＰＡｎ（１，１）であり、前回の時間繰上げ量を用いて得られる総受信電力がＰＡ（１，１）であれば、非サービング基地局ｅＮＢ１の算出手段６０７−１は｜ＰＡｎ（１，１）−ＰＡ（１，１）｜の値を算出し、｜ＰＡｎ（１，１）−ＰＡ（１，１）｜＞ΔＰであるか否か判定する。上記二つの条件のいずれかを満たす場合、ステップ（５）に進む。また、非サービング基地局ｅＮＢ３は非サービング基地局ｅＮＢ１と同様の動作を実行する。
【００６５】
ここで、トリガイベントは二通りの状況として定義され、第一の状況はステップ（２）およびステップ（４）において得られる時間繰上げ量の差分値がΔＴより大きい状況であり、第二の状況は二つの時間繰上げ量を用いて得られる総受信電力の差分値がΔＰより大きい状況である。第一の状況および第二の状況のうちいずれかを満たしさえすれば、イベントがトリガされる。ΔＴおよびΔＰの定義は実施例２で述べた定義と同様である。
【００６６】
ステップ（５）において、非サービング基地局ｅＮＢ１およびｅＮＢ３の送受信手段６０４−１、６０４−３は、測定された現在の伝搬遅延Ｔｎ（１，１）および／またはＴｎ（１，３）と、現在の電力Ｐｎ（１，１）および／またはＰｎ（１，３）とをサービング基地局ｅＮＢ２に送信し、その後、処理はステップ（６）に進む。
【００６７】
ステップ（６）において、サービング基地局ｅＮＢ２の時間繰上げ量決定手段６０８−２は、受け取った新たな伝搬遅延および電力の情報と、自身が測定した伝搬遅延および電力とに基づいて、新たな時間繰り上げ量ＴＡｎ（ｉ）を決定する。その後、処理過程はステップ（７）に進む。
【００６８】
ステップ（７）において、サービング基地局ｅＮＢ２の送受信手段６０４−２は、決定された新たな時間繰上げ量ＴＡｎ（ｉ）を移動端末ＵＥ１に送信する。
【００６９】
ここで、ステップ（６）においてサービング基地局ｅＮＢ２の時間繰上げ量決定手段６０８−２が時間繰り上げ量ＴＡｎ（ｉ）を決定する方法は実施例１中の方法と同様であり、ここではあらためて述べない。
【００７０】
本発明の実施例３を用いることにより、基地局間のシグナリングオーバーヘッドを効果的に減少させることができる。
【００７１】
＜実施例４＞
図９は本発明の実施例４によるシグナリングフローの図示である。
【００７２】
図９に示すように、本発明の実施例４による上りリンクの時間繰上げ量を調整する方法は：ステップ（１）において、サービング基地局ｅＮＢ２において新たなパラメータＴｐ（ｉ，ｊ）＝Ｔ（ｉ，ｊ）／Ｐ（ｉ，ｊ）を定義し、サービング基地局ｅＮＢ２の送受信手段６０４−２は、最小のＴｐ（ｉ，ｊ）すなわちｍｉｎ｛Ｔｐ（ｉ，ｊ）｝を非サービング基地局ｅＮＢ１およびｅＮＢ３に送信する。ここで、Ｔ（ｉ，ｊ）は移動端末ｉから基地局ｊへの伝搬遅延を表し、Ｐ（ｉ，ｊ）は移動端末ｉから基地局ｊへのチャネル応答の電力を表し、新たなパラメータＴｐ（ｉ，ｊ）は、電力を用いて伝搬遅延に重み付けを行うことに相当する。このように、サービング基地局ｅＮＢ２の送受信手段６０４−２は、最小のＴｐ（ｉ，ｊ）をイベントトリガの参考として非サービング基地局ｅＮＢ１およびｅＮＢ３に直接提供することができる。その後、処理過程はステップ（２）に進む。
【００７３】
ステップ（２）において、各基地局ｅＮＢ１、ｅＮＢ２およびｅＮＢ３の測定手段６０６−１、６０６−２、６０６−３は、新たな伝搬遅延および電力の情報を測定して、それぞれＴｎおよびＰｎで表す。すなわち、非サービング基地局ｅＮＢ１の測定手段６０６−１は、新たな伝搬遅延Ｔｎ（１，１）および新たなチャネル応答の電力Ｐｎ（１，１）を測定し、非サービング基地局ｅＮＢ３の測定手段６０６−３は、新たな伝搬遅延Ｔｎ（１，３）および新たなチャネル応答の電力Ｐｎ（１，３）を測定し、サービング基地局ｅＮＢ２の測定手段６０６−２は、新たな伝搬遅延Ｔｎ（１，２）および新たなチャネル応答の電力Ｐｎ（１，２）を測定する。その後、処理過程はステップ（３）に進む。
【００７４】
ステップ（３）において、非サービング基地局は新たに測定した伝搬遅延および電力の情報を用いてイベントを構成し、ここで、当該イベントは｜Ｔｎ（ｉ，ｊ）／Ｐｎ（ｉ，ｊ）−ｍｉｎ｛Ｔｐ（ｉ，ｊ）｝｜＞ΔＴｐと定義され、ΔＴｐは基地局のシステム内部であらかじめ設定されたパラメータである。より具体的には、非サービング基地局ｅＮＢ１の算出手段６０７−１はＴｎ（１，１）／Ｐｎ（１，１）を算出し、値Ｔｎ（１，１）／Ｐｎ（１，１）とｍｉｎ｛Ｔｐ（ｉ，ｊ）｝との差分値が所定の閾値ΔＴｐよりも大きいか否か判定し、非サービング基地局ｅＮＢ３の算出手段６０７−３はＴｎ（１，３）／Ｐｎ（１，３）を算出し、値Ｔｎ（１，３）／Ｐｎ（１，３）とｍｉｎ｛Ｔｐ（ｉ，ｊ）｝との差分値が所定の閾値ΔＴｐよりも大きいか否か判定する。事件が触発されると、即ち上記の条件が満たされると、処理過程はステップ（４）に進む。
【００７５】
ステップ（４）において、条件が満たされた非サービング基地局ｅＮＢ１および／またはｅＮＢ３の送受信手段６０４−１および／または６０４−３は、測定された現在の伝搬遅延Ｔｎ（１，１）および／またはＴｎ（１，３）と、現在の電力Ｐｎ（１，１）および／またはＰｎ（１，３）とをサービング基地局ｅＮＢ２に報告し、その後、処理過程はステップ（５）に進む。
【００７６】
ステップ（５）において、サービング基地局ｅＮＢ２の時間繰上げ量決定手段６０８−２は、受け取った新たな伝搬遅延および電力の情報と、自身が測定した伝搬遅延および電力とに基づいて、新たな時間繰り上げ量ＴＡｎ（ｉ）を決定する。その後、処理過程はステップ（６）に進む。
【００７７】
ステップ（６）において、サービング基地局ｅＮＢ２の送受信手段６０４−２は、決定された新たな時間繰上げ量ＴＡｎ（ｉ）を移動端末ＵＥ１に通知する。
【００７８】
ここで、ステップ（５）においてサービング基地局ｅＮＢ２の時間繰上げ量決定手段６０８−２が時間繰り上げ量ＴＡｎ（ｉ）を決定する方法は実施例１中の方法と同様であり、ここではあらためて述べない。
【００７９】
本発明の実施例４を用いることにより、サービング基地局から非サービング基地局への情報伝達を大幅に圧縮しているとともに、非サービング基地局内のイベントトリガの判定過程も簡略化している。
【００８０】
＜実施例５＞
図１０は本発明の実施例５によるシグナリングフローの図示である。
【００８１】
図１０に示すように、本発明の実施例５による上りリンクの時間繰上げ量を調整する方法は：ステップ（１）において、各基地局ｅＮＢ１、ｅＮＢ２およびｅＮＢ３の測定手段６０６−１、６０６−２、６０６−３により移動端末ＵＥ１の伝搬遅延Ｔ（１，１）、Ｔ（１，２）およびＴ（１，３）と、チャネル応答の電力Ｐ（１，１）、Ｐ（１，２）およびＰ（１，３）とをそれぞれ測定する。その後、処理過程はステップ（２）に進む。
【００８２】
ステップ（２）において、非サービング基地局ｅＮＢ１およびｅＮＢ３の送受信手段６０４−１、６０４−３により、測定された伝搬遅延Ｔ（１，１）およびＴ（１，３）と、電力Ｐ（１，１）およびＰ（１，３）とをサービング基地局ｅＮＢ２に報告する。その後、処理過程はステップ（３）に進む。
【００８３】
ステップ（３）において、サービング基地局ｅＮＢ２の時間繰上げ量決定手段６０８−２は、受け取った伝搬遅延および電力の情報と、サービング基地局ｅＮＢ２の測定手段６０６−２が測定した伝搬遅延および電力の情報とに基づいて、時間繰り上げ量ＴＡ（ｉ）を決定する。その後、処理過程はステップ（４）に進む。
【００８４】
ステップ（４）において、サービング基地局ｅＮＢ２の算出手段６０７−２は、決定された時間繰上げ量ＴＡ（ｉ）と前回決定された時間繰上げ量ＴＡ’（ｉ）とを比較して、比較した差分値が所定の閾値ΔＴより大きいか否か判定する。比較した差分値が所定の閾値ΔＴより大きいと判定された場合には、ステップ（５）に進む。
【００８５】
ステップ（５）において、サービング基地局ｅＮＢ２の送受信手段６０４−２は、決定された時間繰上げ量ＴＡ（ｉ）を移動端末ＵＥ１に通知する。
【００８６】
実施例５の実施例１との主な区別は、サービング基地局が時間繰上げ量を得た後に一度イベント判定を行い、イベントが満たされた場合にはじめて、新たな時間繰上げ量を移動端末に通知する点にある。このようにして、いくつかの時間繰上げ量の不要な更新が空中インターフェース上で回避されている。
【００８７】
＜実施例６＞
図１１は本発明の実施例６によるシグナリングフローの図示である。
【００８８】
図１１に示すように、本発明の実施例６による上りリンクの時間繰上げ量を調整する方法は：ステップ（１）において、各基地局ｅＮＢ１、ｅＮＢ２およびｅＮＢ３の測定手段６０６−１、６０６−２、６０６−３により移動端末ＵＥ１の伝搬遅延Ｔ（１，１）、Ｔ（１，２）およびＴ（１，３）と、チャネル応答の電力Ｐ（１，１）、Ｐ（１，２）およびＰ（１，３）とをそれぞれ測定し、その後ステップ（２）に進む。
【００８９】
ステップ（２）において、非サービング基地局ｅＮＢ１およびｅＮＢ３の算出手段６０７−１、６０７−３は、測定された現在の伝搬遅延および電力と、当該非サービング基地局ｅＮＢ１およびｅＮＢ３が前回測定した伝搬遅延および電力とをそれぞれ比較して、比較した差分値が所定の閾値より大きいか否か判定する。例えば、非サービング基地局ｅＮＢ１の測定手段６０６−１が測定した現在の伝搬遅延がＴ（１，１）であり、前回測定した伝搬遅延がＴ’（１，１）であれば、非サービング基地局ｅＮＢ１の算出手段６０７−１は｜Ｔ（１，１）−Ｔ’（１，１）｜の値を算出して、｜Ｔ（１，１）−Ｔ’（１，１）｜＞ΔＴ／２（ΔＴは基地局のシステム内部で設定された閾値である）であるか否か判定し；または、例えば、非サービング基地局ｅＮＢ１の測定手段６０６−１が測定した現在のチャネル応答の電力がＰ（１，１）であり、前回測定したチャネル応答の電力がＰ’（１，１）であれば、非サービング基地局ｅＮＢ１の算出手段６０７−１は｜Ｐ（１，１）−Ｐ’（１，１）｜の値を算出して、｜Ｐ（１，１）−Ｐ’（１，１）｜＞ΔＰ／Ｎ（ΔＰは基地局のシステム内部で設定された閾値であり、Ｎは受信する基地局の数である）であるか否か判定する。上記二つの条件のいずれかを満たす場合、ステップ（３）に進む。また、非サービング基地局ｅＮＢ３は非サービング基地局ｅＮＢ１と同様の動作を実行する。
【００９０】
ステップ（３）において、非サービング基地局ｅＮＢ１およびｅＮＢ３の送受信手段６０４−１、６０４−３は、測定された現在の伝搬遅延Ｔ（１，１）およびＴ（１，３）と、現在の電力Ｐ（１，１）およびＰ（１，３）とをサービング基地局ｅＮＢ２に報告し、その後、処理はステップ（４）に進む。
【００９１】
ステップ（４）において、サービング基地局ｅＮＢ２の時間繰上げ量決定手段６０８−２は、受け取った伝搬遅延および電力の情報と、自身が測定した伝搬遅延および電力の情報とに基づいて、新たな時間繰り上げ量ＴＡ（ｉ）を決定する。サービング基地局ｅＮＢ２の時間繰上げ量決定部６０８−２が時間繰り上げ量ＴＡ（ｉ）を決定する方法は実施例１中の方法と同様である。その後、処理はステップ（５）に進む。
【００９２】
ステップ（５）において、サービング基地局ｅＮＢ２の算出手段６０７−２は、決定された時間繰上げ量ＴＡ（ｉ）と前回決定された時間繰上げ量ＴＡ’（ｉ）とを比較して、比較した差分値が所定の閾値ΔＴより大きいか否か判定する。比較した差分値が所定の閾値ΔＴより大きいと判定された場合には、ステップ（６）に進む。
【００９３】
ステップ（６）において、サービング基地局ｅＮＢ２の送受信手段６０４−２は、決定された新たな時間繰上げ量ＴＡ（ｉ）を移動端末ＵＥ１に通知する。
【００９４】
実施例６の実施例２との主な区別は、サービング基地局が新たな時間繰上げ量を得た後に一度イベント判定を行い、イベントが満たされた場合にはじめて、新たな時間繰上げ量を移動端末に通知する点にある。このようにして、いくつかの時間繰上げ量の不要な更新が空中インターフェース上で回避されている。
【００９５】
＜実施例７＞
図１２は本発明の実施例７によるシグナリングフローの図示である。
【００９６】
図１２に示すように、本発明の実施例７による上りリンクの時間繰上げ量を調整する方法は：ステップ（１）において、各基地局ｅＮＢ１、ｅＮＢ２およびｅＮＢ３の測定手段６０６−１、６０６−２、６０６−３により、移動端末ＵＥ１の伝搬遅延Ｔ（１，１）、Ｔ（１，２）およびＴ（１，３）と、チャネル応答の電力Ｐ（１，１）、Ｐ（１，２）およびＰ（１，３）とをそれぞれ測定する。その後、処理過程はステップ（２）に進む。
【００９７】
ステップ（２）において、非サービング基地局ｅＮＢ１およびｅＮＢ３の送受信手段６０４−１、６０４−３は、測定された伝搬遅延Ｔ（１，１）およびＴ（１，３）と、電力Ｐ（１，１）およびＰ（１，３）とをサービング基地局ｅＮＢ２に報告する。その後、処理過程はステップ（３）に進む。
【００９８】
ステップ（３）において、サービング基地局ｅＮＢ２の時間繰上げ量決定手段６０８−２は、受け取った伝搬遅延および電力の情報と、自身が測定した伝搬遅延および電力の情報とに基づいて、新たな時間繰り上げ量ＴＡ（ｉ）を決定し、決定された新たな時間繰り上げ量ＴＡ（ｉ）を送受信手段６０４−２によって移動端末ＵＥ１に通知する。
【００９９】
その後、処理過程はステップ（４）に進む。ステップ（４）において、各基地局ｅＮＢ１、ｅＮＢ２およびｅＮＢ３の測定手段は、ステップ（１）の動作を繰り返す。つまり、移動端末ＵＥ１の現在の伝搬遅延Ｔｎ（１，１）、Ｔｎ（１，２）およびＴｎ（１，３）と、チャネル応答の電力Ｐｎ（１，１）、Ｐｎ（１，２）およびＰｎ（１，３）とをそれぞれ測定する。その後、処理過程はステップ（５）に進む。
【０１００】
ステップ（５）において、非サービング基地局ｅＮＢ１の算出手段６０７−１は、現在の伝搬遅延Ｔｎ（１，１）と前回測定された伝搬遅延Ｔ（１，１）との差分値｜Ｔｎ（１，１）−Ｔ（１，１）｜と、現在のチャネル応答の電力Ｐｎ（１，１）と前回測定されたチャネル応答の電力Ｐ（１，１）との差分値｜Ｐｎ（１，１）−Ｐ（１，１）｜とをそれぞれ算出し、算出された二つの差分値を送受信手段６０４−１によってサービング基地局ｅＮＢ２に通知する。非サービング基地局ｅＮＢ３の算出手段６０７−３は、現在の伝搬遅延Ｔｎ（１，３）と前回測定された伝搬遅延Ｔ（１，３）との差分値｜Ｔｎ（１，３）−Ｔ（１，３）｜と、現在のチャネル応答の電力Ｐｎ（１，３）と前回測定されたチャネル応答の電力Ｐ（１，３）との差分値｜Ｐｎ（１，３）−Ｐ（１，３）｜とをそれぞれ算出し、算出された二つの差分値を送受信手段６０４−３によってサービング基地局ｅＮＢ２に通知する。その後、処理過程はステップ（６）に進む。
【０１０１】
ステップ（６）において、サービング基地局ｅＮＢ２の算出手段６０７−２は、受け取ったそれぞれの差分値と前回のそれぞれの伝搬遅延および電力値とに基づいて計算を行って、それぞれの現在の伝搬遅延および電力を得る。具体的には、サービング基地局ｅＮＢ２の算出手段６０７−２は、受信した差分値｜Ｔｎ（１，１）−Ｔ（１，１）｜と前回の伝搬遅延Ｔ（１，１）とを加算して現在の伝搬遅延Ｔｎ（１，１）を取得し、受信した差分値｜Ｐｎ（１，１）−Ｐ（１，１）｜と前回の電力Ｐ（１，１）とを加算して現在の電力Ｐｎ（１，１）を取得し、受信した差分値｜Ｔｎ（１，３）−Ｔ（１，３）｜と前回の伝搬遅延Ｔ（１，３）とを加算して現在の伝搬遅延Ｔｎ（１，３）を取得し、受信した差分値｜Ｐｎ（１，３）−Ｐ（１，３）｜と前回の電力Ｐ（１，３）とを加算して現在の電力Ｐｎ（１，３）を取得する。その後、処理過程はステップ（７）に進む。
【０１０２】
ステップ（７）において、サービング基地局ｅＮＢ２の時間繰上げ量決定手段６０８−２は、得られた現在の伝搬遅延Ｔｎ（１，１）、Ｔｎ（１，２）およびＴｎ（１，３）と、チャネル応答の電力Ｐｎ（１，１）、Ｐｎ（１，２）およびＰｎ（１，３）とに基づいて、新たな時間繰り上げ量ＴＡｎ（ｉ）を決定し、決定された新たな時間繰り上げ量ＴＡｎ（ｉ）を送受信手段６０４−２によって移動端末ＵＥ１に通知する。サービング基地局ｅＮＢ２の時間繰上げ量決定部６０８−２が時間繰り上げ量ＴＡｎ（ｉ）を決定する方法は実施例１中の方法と同様であり、ここではあらためて述べない。
【０１０３】
実施例７は非サービング基地局がサービング基地局に遅延および電力の情報を通知する際の報告方式を示している。第一回は実際の測定値を報告し、第一回の報告の後再び報告する際は、現在の測定値と前回報告した測定値との差分値のみを報告する。このようにして、基地局間のシグナリングオーバーヘッドを減少させることができる。また、本発明の別の実施例によれば、報告される伝搬遅延の差分値はサイクリックプリフィックスの長さと関係がある。いくつかの無線通信システムにおいて、サイクリックプリフィックスは異なる長さを持ちうる。つまり、受信ウィンドウの幅は可変である。これにより、報告される伝搬遅延の差分値は、遅延の差分値＝（現在測定した遅延の値−前回の報告値）／受信ウィンドウの幅／２Ｎで表され、ここでＮは自然数である。
【０１０４】
＜実施例８＞
上りリンクの参照信号の長さは短いため、上りリンクにおける電力測定の精度は遅延の精度よりも高い可能性がある。遅延測定の精度を改善するために実施例８を提示する。実施例８においては、移動端末によって下りチャネルの遅延が測定され、サービング基地局に直接報告されるのに対し、非サービング基地局は電力値を測定してサービング基地局に報告するのみでよい。無線システムにおいては、上り遅延と下り遅延とは対称とみなすことができるが、上りチャネル応答の電力と下りチャネル応答の電力とは一般に非対称である。そのため、移動端末は伝搬遅延のみを測定することができる。
【０１０５】
本発明の実施例８による移動端末中には、当該移動端末から基地局への伝搬遅延を測定する測定手段（図示せず）と；各種のデータおよびシグナリングを基地局に送信し、各種のデータおよびシグナリングを基地局から受信する送受信手段（図示せず）とを含みうる。
【０１０６】
図１３は本発明の実施例８によるシグナリングフローの図示である。
【０１０７】
図１３に示すように、本発明の実施例８による上りリンクの時間繰上げ量を調整する方法は：ステップ（１）において、移動端末ＵＥ１の測定手段（図示せず）によって、当該移動端末から非サービング基地局ｅＮＢ１およびｅＮＢ３への伝搬遅延Ｔ（１，１）およびＴ（１，３）を測定し、送受信手段（図示せず）によって、測定された伝搬遅延（１，１）およびＴ（１，３）をサービング基地局ｅＮＢ２に通知する。その後、処理過程はステップ（２）に進む。
【０１０８】
ステップ（２）において、各非サービング基地局ｅＮＢ１およびｅＮＢ３の測定部６０６−１、６０６−３は、移動端末ＵＥ１のチャネル応答の電力Ｐ（１，１）およびＰ（１，３）のみを測定し、測定された電力Ｐ（１，１）およびＰ（１，３）を送受信手段６０４−１、６０４−３によってサービング基地局ｅＮＢ２に報告し、その後、処理はステップ（３）に進む。
【０１０９】
ステップ（３）において、サービング基地局ｅＮＢ２の時間繰上げ量決定手段６０８−２は、移動端末ＵＥ１から受け取った伝搬遅延Ｔ（１，１）およびＴ（１，３）と、非サービング基地局ｅＮＢ１およびｅＮＢ３から受け取った電力の情報Ｐ（１，１）およびＰ（１，３）と、サービング基地局ｅＮＢ２自身が測定した伝搬遅延Ｔ（１，２）および電力Ｐ（１，２）とに基づいて、時間繰り上げ量ＴＡ（ｉ）を決定する。サービング基地局ｅＮＢ２の時間繰上げ量決定部６０８−２が時間繰り上げ量ＴＡ（ｉ）を決定する方法は実施例１中の方法と同様であり、ここではあらためて述べない。その後、処理はステップ（４）に進む。
【０１１０】
ステップ（４）において、サービング基地局ｅＮＢ２の送受信手段６０４−２は、時間繰上げ量ＴＡ（ｉ）を移動端末ＵＥ１に通知する。
【０１１１】
本発明の実施例８を用いることにより、基地局間のシグナリングオーバーヘッドを効果的に減少させることができる。
【０１１２】
＜実施例９＞
本発明の実施例９による移動端末中には、当該移動端末から基地局への伝搬遅延を測定する測定手段（図示せず）と；各種のデータおよびシグナリングを基地局に送信し、各種のデータおよびシグナリングを基地局から受信する送受信手段（図示せず）とを含みうる。
【０１１３】
図１４は本発明の実施例９によるシグナリングフローの図示である。
【０１１４】
図１４に示すように、本発明の実施例９による上りリンクの時間繰上げ量を調整する方法は：ステップ（１）において、移動端末ＵＥ１の測定手段（図示せず）によって、当該移動端末から非サービング基地局ｅＮＢ１およびｅＮＢ３への伝搬遅延Ｔ（１，１）およびＴ（１，３）を測定し、送受信手段（図示せず）によって、測定された伝搬遅延（１，１）およびＴ（１，３）をサービング基地局ｅＮＢ２に通知する。その後、処理過程はステップ（２）に進む。
【０１１５】
ステップ（２）において、各非サービング基地局ｅＮＢ１およびｅＮＢ３の測定手段６０６−１、６０６−３は、移動端末ＵＥ１のチャネル応答の電力Ｐ（１，１）およびＰ（１，３）のみを測定し、非サービング基地局ｅＮＢ１およびｅＮＢ３の算出手段６０７−１、６０７−３は、測定された現在の電力と、当該非サービング基地局ｅＮＢ１およびｅＮＢ３が前回測定した電力とを比較して、比較した差分値が所定の閾値より大きいか否か判定する。具体的には、非サービング基地局ｅＮＢ１の測定手段６０６−１が測定した現在のチャネル応答の電力がＰ（１，１）であり、前回測定したチャネル応答の電力がＰ’（１，１）であれば、非サービング基地局ｅＮＢ１の算出手段６０７−１は｜Ｐ（１，１）−Ｐ’（１，１）｜の値を算出して、｜Ｐ（１，１）−Ｐ’（１，１）｜＞ΔＰ／Ｎ（ΔＰは基地局のシステム内部で設定された閾値であり、Ｎは受信基地局の数である）であるか否か判定する。上記の条件が満たされると、ステップ（３）に進む。また、非サービング基地局ｅＮＢ３は非サービング基地局ｅＮＢ１と同様の動作を実行する。
【０１１６】
ステップ（３）において、非サービング基地局ｅＮＢ１およびｅＮＢ３の送受信手段６０４−１、６０４−３は、測定された現在の電力Ｐ（１，１）およびＰ（１，３）をサービング基地局ｅＮＢ２に報告し、その後、処理はステップ（４）に進む。
【０１１７】
ステップ（４）において、サービング基地局ｅＮＢ２の時間繰上げ量決定手段６０８−２は、移動端末ＵＥ１から受け取った伝搬遅延Ｔ（１，１）およびＴ（１，３）と、非サービング基地局ｅＮＢ１およびｅＮＢ３から受け取った電力の情報Ｐ（１，１）およびＰ（１，３）と、サービング基地局ｅＮＢ２の測定手段６０６−２自身が測定した伝搬遅延Ｔ（１，２）および電力Ｐ（１，２）とに基づいて、時間繰り上げ量ＴＡ（ｉ）を決定する。サービング基地局ｅＮＢ２の時間繰上げ量決定部６０８−２が時間繰り上げ量ＴＡ（ｉ）を決定する方法は実施例１中の方法と同様であり、ここではあらためて述べない。その後、処理はステップ（５）に進む。
【０１１８】
ステップ（５）において、サービング基地局ｅＮＢ２の算出手段６０７−２は、決定された時間繰上げ量ＴＡ（ｉ）と前回決定された時間繰上げ量ＴＡ’（ｉ）とを比較して、比較した差分値が所定の閾値ΔＴより大きいか否か判定する。比較した差分値が所定の閾値ΔＴより大きいと判定された場合には、ステップ（６）に進む。
【０１１９】
ステップ（６）において、サービング基地局ｅＮＢ２の送受信手段６０４−２は、決定された新たな時間繰上げ量ＴＡ（ｉ）を移動端末ＵＥ１に通知する。
【０１２０】
本発明の実施例９を用いることにより、基地局間のシグナリングオーバーヘッドを効果的に減少させることができる。
【０１２１】
＜実施例１０＞
本発明の実施例１０によれば、サービング基地局ｅＮＢ２から空中インターフェースを介して移動端末ＵＥ１に時間繰上げ量を伝達する際に、その量子化間隔は基地局のシステム内部で設定されたパラメータΔＴに関連する。既存の無線通信システム（例えば、ＬＴＥシステム）において、空中インターフェース上で伝達される時間繰上げ量の量子化間隔は固定である。それに対し、本発明の各実施例のシステムパラメータΔＴはコンフィグレーション可能であるため、対応の時間繰上げ量の量子化間隔もコンフィグレーション可能である。例えば、本発明の実施例により算出された時間繰上げ量を１５ｍｓと仮定すると、本発明の各実施例のシステムパラメータΔＴはコンフィグレーション可能であるため、本発明の実施例によるシステムは、実際の状況に応じて、４ビットの伝達数値１５を自動配置して１５ｍｓを表し（この時の量子化間隔は１）；または３ビットの伝達数値５を自動配置して１５ｍｓを表し（この時の量子化間隔は３）；または２ビットの伝達数値３を自動配置して１５ｍｓを表す（この時の量子化間隔は５）ことができる。大きな量子化間隔で時間繰上げ量を伝送する場合は少ないビットを用いることができるため、基地局間のシグナリングオーバーヘッドを節減することができる。
【０１２２】
＜実施例１１＞
本発明の実施例１１によれば、電力と伝搬遅延に関するシグナリングの基地局間での伝送は、上り協調区域（UP CoMP set）の決定に用いることもできる。具体的なシグナリングフローは図１５の通りである。
【０１２３】
図１５は本発明の実施例１１によるシグナリングフローの図示である。
【０１２４】
図１５に示すように、この実施例においては、協調区域の決定は以下のステップに分けられる：
ステップ（１）において、非サービング基地局ｅＮＢ１、ｅＮＢ３およびｅＮＢ４は、移動端末ＵＥ１から各基地局への（チャネル）伝搬遅延およびチャネル応答の電力をサービング基地局ｅＮＢ２に報告し；ステップ（２）において、サービング基地局ｅＮＢ２は、受け取った伝搬遅延および電力のデータに基づいて、どの基地局が協調区域を構成するかを決定する。例えば、ｅＮＢ１とｅＮＢ３が協調区域を構成する、またはｅＮＢ１とｅＮＢ４が協調区域を構成する等の異なる組合せを決定する；ステップ（３）において、サービング基地局ｅＮＢ２は協調区域の決定を移動端末ＵＥ１および測定報告を送信した全ての非サービング基地局ｅＮＢ１、ｅＮＢ３、ｅＮＢ４に通知する。
【０１２５】
上記の実施例による方法においては、サービング基地局ｅＮＢ２はさらに、協調区域を構成する各非サービング基地局から受け取った伝搬遅延および電力と、サービング基地局ｅＮＢ２自身が測定した伝搬遅延および電力とに基づいて、移動端末ＵＥ１の上りリンクの時間繰上げ量を決定し、決定した時間繰上げ量を当該移動端末ＵＥ１に通知する。
【０１２６】
実施例２〜４および実施例７において述べた方法は、実施例１１の改善においても同様に適用可能であり、ここではあらためて述べない。実施例１１は協調区域の決定に重点をおいており、実施例２〜４ではＴＡの調整に重点をおいているが、実施例１１と実施例１の基地局間のシグナリング伝達に対する要求は同様であり、すなわち、上り伝搬遅延および電力の情報は、時間繰上げ量の決定に用いてもよく、上り協調区域の決定に用いてもよい。従って、実施例２〜４および実施例７において述べた方法は、実施例１１にそのまま適用することができる。
【０１２７】
本願における上記の各実施例は実例としての記述に過ぎず、各実施例の具体的な構成および動作は、本発明の範囲を制限するものではなく、当業者は上記の各実施例における異なる部分や動作を組み合わせ直して、新たな実施の方式を生み出すことが可能であり、同様に本発明の思想に適合している。
【０１２８】
本発明の実施例は、ハードウェア、ソフトウェア、ファームウェアおよびそれらの組み合わせの方式で実現されうるが、実現方式は本発明の範囲を制限するものではない。
【０１２９】
本発明の実施例における各機能素子（手段）相互の間の接続関係は、本発明の範囲を制限するものではなく、このうち一つまたは複数の素子は、他の任意の機能素子を含んだり、他の任意の機能素子に接続したりしてもよい。
【０１３０】
上記では図面を組み合わせて本発明のいくつかの実施例を示し、説明したが、本発明の原則および精神を逸脱することなしに、これらの実施例について変更および修正を行うことが可能であって、依然として本発明の請求の範囲およびその等価物の範囲内におさまることは、当業者にとって自明である。
【図１】
2012521113.tif 000003
【図２】
2012521113.tif 000004
【図３】
2012521113.tif 000005
【図４】
2012521113.tif 000006
【図５Ａ】
2012521113.tif 000007
【図５Ｂ】
2012521113.tif 000008
【図５Ｃ】
2012521113.tif 000009
【図６】
2012521113.tif 000010
【図７】
2012521113.tif 000011
【図８】
2012521113.tif 000012
【図９】
2012521113.tif 000013
【図１０】
2012521113.tif 000014
【図１１】
2012521113.tif 000015
【図１２】
2012521113.tif 000016
【図１３】
2012521113.tif 000017
【図１４】
2012521113.tif 000018
【図１５】
2012521113.tif 000019
【手続補正書】
【提出日】平成24年2月8日(2012.2.8)
【手続補正１】
【補正対象書類名】明細書
【補正対象項目名】００６０
【補正方法】変更
【補正の内容】
【００６０】
図８に示すように、本発明の実施例３による上りリンクの時間繰上げ量を調整する方法は：ステップ（１）において、サービング基地局ｅＮＢ２の送受信手段６０４−２は、一つの所定の条件（後述する実施例５におけるステップ（４）のように「閾値を超えるか？」という閾値判定条件が可能）を満たす場合に、全ての伝搬遅延および電力の情報を非サービング基地局ｅＮＢ１およびｅＮＢ３に通知する。ここでは、サービング基地局ｅＮＢ２の送受信手段６０４−２は、記憶している、全ての関連基地局があらかじめ測定した伝搬遅延および電力の情報を、非サービング基地局に通知する。すなわち、非サービング基地局ｅＮＢ１に伝搬遅延Ｔ（１，２）およびＴ（１，３）と、チャネル応答の電力Ｐ（１，２）およびＰ（１，３）とを通知し、非サービング基地局ｅＮＢ３に伝搬遅延Ｔ（１，１）およびＴ（１，２）と、チャネル応答の電力Ｐ（１，１）およびＰ（１，２）とを通知する。その後、処理はステップ（２）に進む。
【国際調査報告】
2012521113.tif 000020
2012521113.tif 000021
2012521113.tif 000022
2012521113.tif 000023
2012521113.tif 000024
2012521113.tif 000025